(57)【要約】      （修正有）【課題】コンパクトな収納状態として、収納場所の汎用性を増大させることができると共に、使用状態では、施療部位に応じた押圧力でマッサージを行うことができるマッサージ装置を提供する。【解決手段】首や肩などの人体を部分的にマッサージする揉み部材２１，２１と、揉み部材２１，２１を、施療面２ａ内で移動可能に駆動する左，右側モータ駆動機構部を設けた装置本体２の施療面２ａを覆うカバー体３とを有し、該カバー体３には、バイブレータ部１００が設けられているマッサージ装置である。装置本体２の施療面２ａをカバー体３が覆う収納状態では、カバー体３のバイブレータ部１００が、揉み部材２１，２１から外れた位置に収納されるようになっている。【選択図】  図３
2005040254.tif 000002
【特許請求の範囲】
【請求項１】
人体をマッサージする施療子と、該施療子を施療面内で移動可能に駆動する機構部を設けた装置本体と、該装置本体の前記施療面を覆うカバー体とを有し、該カバー体には、バイブレータ部が設けられているマッサージ装置であって、
前記装置本体の前記施療面を前記カバー体が覆う収納状態では、前記カバー体のバイブレータ部が、前記施療子から外れた位置に収納されることを特徴とするマッサージ装置。
【請求項２】
前記カバー体のバイブレータ部が、該施療子から外れた位置で収納される収納部分は、前記施療子が、初期状態に待避することにより形成されることを特徴とする請求項１記載のマッサージ装置。
【発明の詳細な説明】
【０００１】
【発明の属する技術分野】
この発明は、施療面内で移動させられる施療子に加えて、バイブレータ部が、利用者の複数のマッサージ部位をマッサージ可能とするマッサージ装置に関するものである。
【０００２】
【従来の技術】
従来から、例えば、マットの上面に人体を横臥状態として支持しながら、マッサージを行うマット式のマッサージ装置等が知られている（例えば、特許文献１参照）。
【０００３】
このようなマット式のマッサージ装置では、発泡ウレタン製の厚肉クッション材等の上に、腰及び足をマッサージする複数のバイブレータが、装着されると共に、膨張，収縮により、肩及び腰をマッサージするエアバックが装着されている。
【０００４】
このように構成された従来のマット式のマッサージ装置では、これらの複数のバイブレータが、制御装置によって制御されて振動駆動されると共に、前記エアバックが、吸排気装置の吸排気により、膨張，収縮されて、人体が部分的にマッサージされるようにしている。
【０００５】
【特許文献１】
特開２００２−１０２３０４号公報
【０００６】
【発明が解決しようとする課題】
しかしながら、従来のマット式のマッサージ装置では、例えば、マットを長手方向略中央で２つ折り状態に折りたたむような収納状態とした際に、前記エアバックと前記バイブレータとが干渉して、バイブレータ部の保護が図れない虞があった。
【０００７】
このため、バイブレータ部を薄板型としなければならない等、形状の制約が多くなり、設計の自由度が減少してしまうといった問題もあった。
【０００８】
そこで、この発明は、バイブレータ部の形状に関わらず、コンパクトな収納状態として、収納場所の汎用性を増大させることができると共に、バイブレータ部の保護を図ることが出来るマッサージ装置を提供することを目的とするものである。
【０００９】
【課題を解決するための手段】
この目的を達成するため、この発明の請求項１に記載されたマッサージ装置では、人体をマッサージする施療子と、該施療子を、施療面内で移動可能に駆動する機構部を設けた装置本体と、該装置本体の前記施療面を覆うカバー体とを有し、該カバー体には、バイブレータ部が設けられているマッサージ装置であって、前記装置本体の前記施療面を前記カバー体が覆う収納状態では、前記カバー体のバイブレータ部が、前記施療子から外れた位置に収納されるマッサージ装置を特徴としている。
【００１０】
このように構成された請求項１記載のものでは、前記収納状態では、前記装置本体の前記施療面が、前記カバー体で覆われて、前記カバー体のバイブレータ部が、前記施療子から外れた位置に収納される。
【００１１】
このため、前記バイブレータ部が、前記施療子と干渉すること無く保護されると共に、前記バイブレータ部の形状に関わらず、コンパクトな収納状態として、収納場所の汎用性を増大させることができる。
【００１２】
【発明の実施の形態】
以下、この発明の実施の形態を図面に基づいて説明する。
［構成］
まず、構成から説明すると、図１は、クッション或いは枕等を兼用可能なこの発明にかかるマッサージ装置１を概略的に示した斜視図である。
【００１３】
すなわち、このマッサージ装置１は、図３に示したように、上面視略円形で上面が後側から前側に傾斜すると共に、首や肩などの人体を部分的にマッサージする施療子としての揉み部材２１，２１を有する施療面２ａが設けられた装置本体２と、この装置本体２の主に施療面２ａ全体を覆う布製のカバー体３を有する。
【００１４】
また、図１及び図２に示すように、このカバー体３の内部には、弾性変形可能なクッション部４が、略全面に渡り収容されている。
【００１５】
更に、このカバー体３には、足等、他の部分をマッサージ可能なバイブレータ部１００が、クッション部４の下面側（使用状態では、上面側）に装着されている。
【００１６】
この実施形態のバイブレータ部１００は、角隅部が丸められた略直方体形状を呈していて、所定の高さ方向の厚みを有している。
【００１７】
そして、前記装置本体２の前記施療面２ａを前記カバー体３が覆う収納状態では、このカバー体３のバイブレータ部１００が、前記揉み部材２１，２１から外れた位置に収納されるように構成されている。
【００１８】
また、このバイブレータ部１００は、後述する制御装置３２からの制御信号に応じて、振動等、マッサージ動作するように構成されている。
【００１９】
更に、この実施の形態では、この装置本体２とカバー体３とが、結合手段としてのスライドファスナー５で、取り外し可能に結合されることにより、マッサージ装置１は、クッション又は枕等となり、使用することができるように構成されている。
【００２０】
このうち、装置本体２には、首や肩などの人体を部分的にマッサージする施療子としての揉み部材２１，２１が、この装置本体２の施療面２ａ内で移動可能となるように、回転軸１３，１３に回動自在に軸支されている。
【００２１】
この揉み部材２１，２１は、機構部としての左，右側モータ駆動機構部１１ｂ，１１ｃによって揺動移動可能に設けられている。
【００２２】
そして、前記装置本体２の前記施療面２ａには、前記バイブレータ部１００の収納部分が、前記揉み部材２１，２１の間に形成されている。
【００２３】
すなわち、前記揉み部材２１，２１が、図４中実線で示すように両外側方に拡開されて、初期状態に待避されることにより、揉み部材２１，２１間に空間が形成されて、前記カバー体３を前記装置本体２に重ね合わせた状態で、この空間に、前記バイブレータ部１００が収納される収納部分となるように構成されている。
【００２４】
前記クッション部４は、布製の袋状体にクッション部材を充填したものが用いられるが、発泡成形したクッション部材を袋状のカバーで覆った構成としても良い。
【００２５】
尚、スライドファスナー５は、図１に示すように、カバー体３の上面周縁に沿って環状に装着された第１のファスナーテープ５ｂと、クッション部４の下面周縁に沿って環状に装着された第２のファスナーテープ５ａと、ファスナーテープ５ａ，５ｂの結合分離に用いられるスライド（すべり金具）５ｃを有する。
【００２６】
また、カバー体３とクッション部４とを結合する結合手段としては、ベルクロファスナーやホックもしくはボタンあるいは紐等を用いることもできる。要は、カバー体３とクッション部４とを着脱可能に結合できればよい。
【００２７】
装置本体２は、図１３に示すように、上面が後側から前側下方に向けて傾斜する円形のケース本体６と、ケース本体６の周面及び上面を覆うクッション部材７を有する。このケース本体６は、有底筒状で上方に開放する下ケース６ａと、後側から前側下方に向けて傾斜する上壁６ｂ１を有し且つ下方に開放する筒状の上ケース６ｂとを有する。この上壁６ｂ１によって主に構成される前記施療面２ａは、利用者の首等を無理なく配置できる緩い傾斜となっている。
【００２８】
この上ケース６ｂは、下ケース６ａの上部に図示しないボルト等で着脱可能に取り付けられている。また、クッション部材７は、下ケース６ａの周面を覆う筒状の下クッション７ａと、上ケース６ｂの周面及び上面を覆う上クッション７ｂを有する。このクッション７ａ，７ｂは一体に形成されていてもよい。
【００２９】
上クッション７ｂは、上ケース６ｂの周面を覆う筒部７ｂ１と、上ケース６ｂの上壁６ｂ１の前側（下部側）を覆うクッション部７ｂ２と、上ケース６ｂの上壁６ｂ１の後側（上部側）を覆うクッション部７ｂ３と、クッション部７ｂ２，７ｂ３の両側部に連設されて上壁６ｂ１の周縁部上面を覆う周縁クッション部７ｂ４，７ｂ４を有する。このクッション部７ｂ２〜７ｂ４間には上壁６ｂ１の中央部を露出させる開口８が形成されている。
【００３０】
また、クッション部７ｂ２の左右方向中央部には、利用者の肩を配置するための前後に延びる浅い凹部９が形成されている。上ケース６ｂの上壁６ｂ１には、開口８の左右の部分にそれぞれ臨ませた一対の挿通孔１０，１０が形成されている（図１２，図１３参照）。
【００３１】
また、下ケース６ａ内には、左右の部分を挿通孔１０，１０に臨ませた機構部としての左，右側モータ駆動機構部１１ｂ，１１ｃが、ギヤケース１１内に収納されて取り付けられている。
【００３２】
このギヤケース１１の左，右側モータ駆動機構部１１ｂ，１１ｃの左右方向中央部には、駆動手段としてのモータ１１ａが、図１２，図１３に示す様に固定されている。しかも、このギヤケース１１の左右両端部には、図１０〜図１２に示したように上方に突出する回転軸（出力軸）１３，１３が、設けられている。
【００３３】
そして、モータ１１ａの回転は、左，右側モータ駆動機構部１１ｂ，１１ｃ内の左右の部分内にそれぞれ設けられた動力伝達手段としての一対のギヤ減速機構（図示せず）により、前記左，右の回転軸１３，１３にそれぞれ伝達されるようになっている。
【００３４】
尚、この一対のギヤ減速機構は、回転軸１３，１３を互いに逆方向に回転させるようになっている。すなわち、左側の回転軸１３が正転（時計回り方向への回転）させられるときには、右側の回転軸１３が、同一角度で逆転（反時計回り方向への回転）させられ、左側回転軸１３が逆転（反時計回り方向への回転）させられるときには、右側の回転軸１３が、同一角度で、正転（時計回り方向への回転）させられるようになっている。
【００３５】
この左，右の回転軸１３，１３は、挿通孔１０，１０から上ケース６ｂの上壁６ｂ１上に突出されて、前記左，右の揉み部材２１，２１を前記施療面２ａ内で、同時に揺動移動可能とするように駆動する構成としている。
【００３６】
すなわち、この上壁６ｂ１の上方には、開口８の両側に位置させたベースとしてのベース部材１５，１６が配設されている。このベース部材１５，１６は、図３に示したように平面形状が略四角形状に形成されていると共に、断面形状が図７，図８に示したように中空で略直角三角形状に形成されている。
【００３７】
また、回転軸１３，１３の上端部には、図３に示すようにベース部材１５，１６の厚板側の中心からオフセットされた縁部近傍の部分がそれぞれ取り付けられている（図４，図５参照）。
【００３８】
このベース部材１５，１６は、上壁６ｂ１の上方に僅かの間隔をおいて配設されていると共に、下面が上壁６ｂ１の上面である施療面２ａと平行に設けられている（図１３参照）。
【００３９】
このベース部材１５，１６の薄板側の縁部（回転軸１３，１３の取付部とは反対側の縁部）には、ベース部材１５，１６の上面である傾斜面１５ａ，１６ａ上に配設した揉み部材取付用の取付板１７，１７の一端部が、ヒンジ部１９，１９を介して回動可能に取り付けられている。このヒンジ部１９，１９は、取付板１７，１７の回転軸１３，１３への取付部とは反対側の縁部に位置させられている。
【００４０】
しかも、取付板１７，１７の自由端部の上面には上方に突出する蒲鉾状の施療子としての前記揉み部材（施療子、押圧部材）２１，２１が取り付けられている。また、ベース部材１５と取付板１７との間及びベース部材１６と取付板１７との間には、図３，図７，図８に示すように、左，右エアバッグ２３，２３が、駆動手段としてそれぞれ介装されている（図４〜図６参照）。このエアバッグ２３，２３も一端部が取付板１７，１７の薄板側の縁部（ヒンジ部１９，１９側縁部）に固定されている。
【００４１】
尚、図示は省略したが取付板１７，１７は、図示しない回動付勢手段でベース部材１５，１６側に回動付勢されている。例えば、この回動付勢手段は、図７に示すスプリング部材１９ａ，１９ａ或いは、これらのベース部材１５，１６，エアバッグ２３及び取付板１７の外周に巻き廻されるゴムバンド部材等であってもよい。
【００４２】
また、上述のように傾斜面１５ａ上に左側のエアバッグ２３，取付板１７を配置し、傾斜面１６ａ上に右側のエアバッグ２３，取付板１７を配置することで、エアバッグ２３，２３を膨張させたときに、左，右両側の肩や首の揉み動作を迅速に行うようにすることができる。
【００４３】
そして、下ケース６ａ内には、図９に示したようなエア給排気装置２５が装着されている。このエア給排気装置２５は、エア供給源であるエアポンプ２６と、脈流を整流すると共に消音に用いるエアタンク（消音タンク）２７と、第１〜第３のポート（図示せず）を有する電磁弁２８を有する。
【００４４】
このエアポンプ２６のエア吐出口（図示せず）には、エアタンク（消音タンク）２７がエアホース２９を介して接続され、エアタンク２７には、電磁弁２８の第１のポート（図示せず）がエアホース３０を介して接続されている。また、電磁弁２８の第３のポート（図示せず）はエアホース２８ａ及びエアホース２８ａの開放端を覆う発泡ウレタン（フィルタ）２８ｂを介して下ケース６ａ内に開放され、この電磁弁２８の第２のポート（図示せず）にはエアホース３１の一端部が接続され、エアホース３１の分岐ホース部３１ａ，３１ｂが、前記左，右のエアバッグ２３，２３にそれぞれ接続されている。
【００４５】
尚、発泡ウレタン２８ｂは、下ケース６ａの底部に設けられた方形枠２８ｃ内に装着されている。
【００４６】
また、ギヤケース１１の上方側には、図１３に示すように、エアポンプ２６等の上方を覆うプレートＰが設けられていて、このプレートＰ上に、図１１に示すように、分岐ホース部３１ａ，３１ｂが配設されている。
【００４７】
このプレートＰは、ベース部材１５，１６が回動して分岐ホース部３１ａ，３１ｂが動くときに、分岐ホース部３１ａ，３１ｂがエアポンプ２６等に引っかかって分岐ホース部３１ａ，３１ｂがエアバッグ２３，２３への接続部等が外れたりするのを未然に防止する様に構成されている。
【００４８】
さらに、上述したエア給排気装置２５は、図６に示すように、制御装置（制御手段、演算制御回路）３２を有する。この制御装置３２は、エアポンプ２６，電磁弁２８を作動制御するようになっている。
【００４９】
そして、この制御装置３２は、前記モータ１１ａの回転駆動を制御することにより、前記左，右側モータ駆動機構部１１ｂ，１１ｃを同時に駆動させて、前記揉み部材２１，２１の揺動動作及び停止位置を制御するように構成されている。
【００５０】
更に、この実施の形態の制御装置３２は、前記バイブレータ部１００にも接続されていて、このバイブレータ部１００のＯＮ，ＯＦＦ制御及び強弱、揉みパルスの変更が可能に構成されている。
【００５１】
そして、この制御装置３２は、図３に示すように、コード３３を介してリモコン（操作部）３４に接続されている。なお、符号３５は、制御装置３２に接続された電源コードである。
［作用］
次に、このような構成のマッサージ装置１の作用を説明する。
【００５２】
このような構成では、図１に示したように、カバー体３の上面にクッション部４を載置して、このカバー体３とクッション部４とを結合手段としてのスライドファスナー５で結合することにより、収納状態となり、マッサージ装置１は、枕又はクッションとして使用することができるようになっている。
【００５３】
この際、前記カバー体３には、クッション部４が設けられている。このため、前記装置本体２の前記施療面２ａが、前記カバー体３で覆われる前記収納状態でも、良好なクッション性を有するクッションとして用いることができる。
【００５４】
また、クッション部４が、前記装置本体２の前記施療面２ａが、前記カバー体３で覆われる前記収納状態では、前記揉み部材２１，２１及びバイブレータ部１００の上側に位置してクッション及び保護材として機能すると共に、前記カバー体３を展開した使用状態では、前記バイブレータ部１００の下側に位置して、バイブレータ部１００の支持クッションとして用いることが出来、施療面２ａの高さ方向位置調整を行うことが出来る。
【００５５】
この際、前記収納状態では、前記装置本体２の前記施療面２ａが、前記カバー体３で覆われて、前記カバー体３のバイブレータ部１００が、前記揉み部材２１，２１の間に形成された収納部分である外れた位置に収納される（図１中破線，図４中二点鎖線位置参照）。
【００５６】
このため、前記バイブレータ部１００が、前記揉み部材２１，２１と干渉すること無く収納されて、左，右から保護されると共に、上方に位置するクッション部４によっても、外方から保護される。
【００５７】
そして、図１に示すような前記カバー体３とクッション部４とを前記スライドファスナー５で結合したコンパクトな収納状態として、収納場所の汎用性を増大させることができる。
【００５８】
従って、この実施の形態のように、例えば、前記バイブレータ部１００の形状を、高さ方向に一定の厚みを有するようなものを使用出来、前記バイブレータ部１００の形状に関わらず、コンパクトな収納状態として、収納場所の汎用性を増大させることができると共に、バイブレータ部１００の保護を図ることが出来る。
【００５９】
このため、前記バイブレータ部１００の形状や大きさをマッサージに適した形状や大きさに設定出来る。
【００６０】
また、マッサージ装置１を使用する場合は、クッション部４をマッサージ装置１のカバー体３に、一部接続したまま（図３中実線で示す状態）、又は、取り外して、図３中二点鎖線で示す状態とする。
【００６１】
この実施の形態では、前記カバー体３が、前記装置本体２から取り外し可能となるように構成されている。
【００６２】
このため、使用状態では、前記カバー体３を身体の大きさ等に合わせて適宜取り外し、前記揉み部材２１と、前記バイブレータ部１００との間隔を調整出来る。
【００６３】
従って、施療部位（マッサージ部位）に応じた押圧力でマッサージを行うことができる。
【００６４】
そして、図５に示すように、カバー体３上に収納されていたリモコン３４及び電源コード３５をカバー体３上から取り出して、電源コード３５のプラグ３５ａを商用電源のコンセント（図示せず）に差し込む。
【００６５】
この状態でリモコン３４を操作して制御装置（制御手段、演算制御回路）３２を作動させると、制御装置３２はモータ１１ａ，エアポンプ２６及び三方切替電磁弁２８の作動制御を開始する。
＜回転軸１３，１３等の往復回動制御＞
これによりモータ１１ａの回転は、ギヤケース１１内の左右の部分内にそれぞれ設けられた左，右側モータ駆動機構部１１ｂ，１１ｃにより、回転軸１３，１３にそれぞれ伝達される。
【００６６】
この際、一対のギヤ減速機構は、図４に矢印３６Ｌで示したように、左側の回転軸１３が正転（時計回り方向への回転）させられるときには、図４に矢印３６Ｒで示したように右側の回転軸１３が逆転（反時計回り方向への回転）させられる。
【００６７】
また、図４に矢印３７Ｌで示したように、左側の回転軸１３が逆転（反時計回り方向への回転）させられるときには、図４に矢印３７Ｒで示したように、右側の回転軸１３が正転（時計回り方向への回転）させられるようになっている。この様にして、左，右の回転軸１３，１３は、所定の範囲［例えば９０°の範囲（９０°より大きくても小さくても良い）］内で互いに反対方向に往復回動制御される。
【００６８】
このように、左，右回転軸１３，１３が所定の範囲内で互いに反対方向に往復回動制御されることにより、ベース部材１５，１６の薄板側すなわち取付板１７，１７のヒンジ１９，１９側が使用者（利用者）の肩に臨む部分と首に臨む部分のとの間で往復回動させられることになる。
【００６９】
また、図４中実線で示す初期状態の位置から、二点鎖線で示すように、所望の位置角度に、前記揉み部材２１，２１を位置させることが出来、連続した往復回動によって、首や肩などの人体が部分的にマッサージされる。
【００７０】
そして、マッサージ動作が終了した場合や、主電源をＯＦＦとした場合等に、前記揉み部材２１，２１が初期状態に復帰するように、左側の回転軸１３が、図４の矢印３７Ｌで示したように正転（時計回り方向への回転）させられると共に、右側の回転軸１３が、図４の矢印３７Ｒで示したように逆転（反時計回り方向への回転）させられて、実線で示す位置に待避される。
【００７１】
初期状態に待避された前記揉み部材２１，２１は、前記カバー体３のバイブレータ部１００が、収納された状態でも、前記バーブレータ部１００が、特に高さ方向で干渉しない揉み部材２１，２１から外された位置に待避される。
【００７２】
更に、この実施の形態では、前記待避が、前記揉み動作等を行う制御装置３２の制御により回転駆動される前記モータ１１ａ及び左，右側モータ駆動機構部１１ｂ，１１ｃによって行われる。
【００７３】
このため、マッサージ動作が終了した場合や、主電源をＯＦＦとした場合等に、前記揉み部材２１，２１が、自動で初期状態に待避して、前記カバー体３のバイブレータ部１００を、これらの揉み部材２１，２１の間の外された位置に収納可能とする。
【００７４】
従って、手動で、初期状態の待避位置に、前記揉み部材２１，２１を移動させる必要がない。
【００７５】
よって、そのまま、前記カバー体３を、前記装置本体２の施療面２ａに拝合するように、覆い被せるだけで、前記バイブレータ部１００を、前記揉み部材２１，２１に干渉させること無く、収納出来、揉み部材２１，２１とバイブレータ部１００との位置関係を意識することなく、単なるカバー体を折りたたむだけのマッサージ装置の後片づけ動作で、収納作業が同時に行え、更に、使用利便性が良好である。
【００７６】
しかも、この実施の形態では、バイブレータ部１００が、前記揉み部材２１，２１間に位置するので、収納状態では、外部から衝撃荷重が加わった際にも、前記クッション部４或いは、これらの揉み部材２１，２１によって衝撃荷重が緩和されて、このバイブレータ部１００の保護も図ることができる。
【００７７】
そして、マッサージ動作が終了した場合や、主電源をＯＦＦとした場合等には、前記エアバック２３，２３内のエアが排出されて、図７に示すように、前記取付板１７，１７が、前記ベース部材１５，１６に合わせられた平坦な状態となる。
【００７８】
このため、前記カバー体３のバイブレータ部１００を、これらの揉み部材２１，２１の間の位置に収納される際に、前記揉み部材２１，２１が、自動で、このような初期状態に復帰される。従って、更に、コンパクトな収納状態として、収納場所の汎用性を増大させることができる。
【００７９】
しかも、この実施の形態では、連続した往復回動によって、首や肩などの人体を部分的にマッサージする左，右モータ駆動機構部１１ｂ，１１ｃを用いて、マッサージ動作が終了した場合に、前記揉み部材２１，２１を初期状態に待避させることができるので、待避させるだけの為に別途、駆動機構を設ける必要が無く、製造コストの増大を抑制出来る。
【００８０】
以上説明したように、この発明の実施の形態のマッサージ装置１は、首や肩などの人体を部分的にマッサージする揉み部材（２１，２１）と、該揉み部材（２１，２１）を駆動すると共に、施療面（２ａ）内で移動可能とする左，右側モータ駆動機構部（１１ｂ，１１ｃ）を設けた装置本体（２）と、該装置本体（２）の前記施療面（２ａ）を覆う取り外し可能なカバー体３とを有し、該カバー体３には、バイブレータ部１００が設けられているマッサージ装置である。
【００８１】
前記装置本体（２）の前記施療面（２ａ）を前記カバー体（３）が覆う収納状態では、前記カバー体（３）のバイブレータ部（１００）が、前記揉み部材（２１，２１）から外れた位置に収納されるようになっている。
【００８２】
また、前記カバー体（３）のバイブレータ部（１００）が、前記揉み部材（２１，２１）から外れた位置で収納される収納部分は、前記揉み部材（２１，２１）が初期状態に待避されることにより形成される。
【００８３】
このため、前記揉み部材（２１，２１）が初期状態に待避することにより、揉み部材（２１，２１）から外された位置に形成される収納部分に、前記カバー体（３）のバイブレータ部（１００）が収納される。
【００８４】
従って、初期状態に復帰した揉み部材（２１，２１）は、前記カバー体３のバイブレータ部（１００）が、揉み部材（２１，２１）から外された位置となり、互いに干渉する虞が無い。
【００８５】
更に、前記待避は、前記左，右側モータ駆動機構部（１１ｂ，１１ｃ）の移動によって行われる。
【００８６】
このため、マッサージ動作が終了した場合や、主電源をＯＦＦとした場合等に、初期状態に復帰するように構成しておけば、更に、使用利便性が良好である。
【００８７】
また、前記カバー体（３）には、クッション部（４）が設けられている。
【００８８】
このため、前記装置本体（２）の前記施療面（２ａ）が、前記カバー体（３）で覆われる前記収納状態では、マッサージ装置（１）をクッションとして用いることができる。
【００８９】
更に、前記カバー体（３）は、前記装置本体（２）から取り外し可能に構成されている。
【００９０】
このため、使用状態では、前記カバー体（３）を身体の大きさ等に合わせて適宜取り外し、前記揉み部材（２１，２１）と、前記バイブレータ部（１００）との間隔を調整出来る。
【００９１】
従って、この構成によれば、施療部位（マッサージ部位）に応じた押圧力でマッサージを行うことができる。
【００９２】
以上、図面を参照して、本発明を実施するための最良の実施の形態を詳述してきたが、具体的な構成は、この実施例に限らず、本発明の要旨を逸脱しない程度の設計的変更は、本発明に含まれる。
【００９３】
例えば、前記実施の形態においては、前記収納状態では、前記装置本体２の前記施療面２ａが、前記カバー体３で覆われて、前記カバー体３のバイブレータ部１００が、前記揉み部材２１，２１の間の外れた位置に形成された収納部分に収納されるが、図２中二点鎖線で示す位置に、前記施療面２ａよりも凹ませた凹部を、収納部分として形成して、この凹部内に、前記バイブレータ部１００が、一部、若しくは全部埋設されるように収納されていても良い。
【００９４】
この際、前記バイブレータ部１００が、この収納部分である凹部内へ前記揉み部材２１，２１よりも、上面部が低い位置となるように埋設されるように構成することにより、更に、このバイブレータ部１００の保護性が良好である。
【００９５】
また、この実施の形態では、前記バイブレータ部１００の形状が、角隅部が丸められた略直方体形状を呈しているが、例えば、円形状、多角形形状等、他の形状であっても良く、カバー体３に収納されるように設けられて、前記揉み部材２１，２１と干渉しないものであれば、形状、数量及び材質が特に限定されるものではなく、特に高さ方向の厚みの設計上の自由度を増大させることが出来、マッサージに適した形状を採用することができる。
【００９６】
【発明の効果】
この発明は、以上説明したように構成したので、前記収納状態では、前記装置本体の前記施療面が、前記カバー体で覆われて、前記カバー体のバイブレータ部が、前記施療子から外れた位置に収納される。
【００９７】
このため、前記バイブレータ部が、前記施療子と干渉すること無く保護されると共に、前記バイブレータ部の形状に関わらず、コンパクトな収納状態として、収納場所の汎用性を増大させることができる、という実用上有益な効果を発揮できる。
【図面の簡単な説明】
【図１】この発明の実施の形態のマッサージ装置で、内部にバイブレータ部を収納した状態を説明する概略斜視図である。
【図２】実施の形態で、図１に示した白抜き矢印方向から見たマッサージ装置の概念図である。
【図３】実施の形態で、カバー体を、装置本体から展開した状態を示し、二点鎖線は、取り外した様子を説明する斜視図である。
【図４】実施の形態で、施療面を情報から見た揉み部材の動作を説明する上面図である。
【図５】実施の形態で、カバー体にバイブレータ部が設けられている様子を説明する斜視図である。
【図６】実施の形態で、マッサージ装置の制御回路の構成を説明するブロック図である。
【図７】実施の形態のマッサージ装置で、装置本体の要部の断面図である。
【図８】実施の形態のマッサージ装置で、エアバッグが膨張した様子を説明する装置本体の要部の断面図である。
【図９】実施の形態のマッサージ装置で、装置本体の下ケース内のエアポンプ等の配置説明用の斜視図である。
【図１０】実施の形態のマッサージ装置で、装置本体の下ケース内にモータ及びギヤケースを装着した状態の斜視図である。
【図１１】実施の形態のマッサージ装置で、装置本体の下ケースのモータ上に板状体を配設した斜視図である。
【図１２】実施の形態のマッサージ装置で、装置本体の下ケース上に上ケースを装着した状態の斜視図である。
【図１３】実施の形態のマッサージ装置で、装置本体の要部の縦断面図である。
【図１４】実施の形態のマッサージ装置で、揉み部材の構成を説明する上面図である。
【符号の説明】
１…マッサージ装置
２…装置本体
２ａ…施療面
３…カバー体
４…クッション
機構部
１１ｂ…左側モータ駆動機構部
１１ｃ…右側モータ駆動機構部
１３…左，右回転軸
１５，１６…ベース部材
２１，２１…揉み部材（施療子）
３２…制御装置
１００…バイブレータ部
【図１】
2005040254.tif 000003
【図２】
2005040254.tif 000004
【図３】
2005040254.tif 000005
【図４】
2005040254.tif 000006
【図５】
2005040254.tif 000007
【図６】
2005040254.tif 000008
【図７】
2005040254.tif 000009
【図８】
2005040254.tif 000010
【図９】
2005040254.tif 000011
【図１０】
2005040254.tif 000012
【図１１】
2005040254.tif 000013
【図１２】
2005040254.tif 000014
【図１３】
2005040254.tif 000015
【図１４】
2005040254.tif 000016